(57)【要約】【課題】梱包作業が容易で、かつ廃棄処理の簡素化を図る。【解決手段】矩形状の底板２２における４辺に形成した各フラップ２２ｃ，２２ｄを上方に折曲することで上側が開放する下段ボールケース２０を形成する。この下段ボールケース２０の内部寸法より小さな外形寸法に設定されて前記底板２２上面に取付けられた段ボール板２４の上に、冷蔵庫１０を載置する。次に、下側が開放する上段ボールケース３４で前記冷蔵庫１０を上側から覆うと共に、該上段ボールケース３４の下端部を前記下段ボールケース２０に外嵌した状態で、上下のケース３４，２０を結束具により結束する。【選択図】　図１
2004106890.tif 000002
【特許請求の範囲】
【請求項１】
矩形状の底板（２２）における４辺に形成した各フラップ（２２ａ，２２ｂ，２２ｃ，２２ｄ）を上方に折曲することで上側が開放する下段ボールケース（２０）を形成し、この下段ボールケース（２０）の内部寸法より小さな外形寸法に設定されて前記底板（２２）上面に取付けられた段ボール板（２４）上に被梱包物（１０）を載置し、下側が開放する上段ボールケース（３４）で前記被梱包物（１０）を上側から覆った状態で、上下のケース（３４，２０）を結束具（４４）により結束するよう構成した
ことを特徴とする梱包構造。
【発明の詳細な説明】
【０００１】
【発明の属する技術分野】
この発明は、梱包構造に関し、更に詳しくは、冷蔵庫等の重量物の梱包構造に関するものである。
【０００２】
【従来の技術】
冷蔵庫やショーケース等の重量のある被梱包物を梱包する場合、木製の梱包枠台に被梱包物を載置した状態で、該被梱包物の上側から段ボールケースを被せ、梱包枠台と段ボールケースとを結束バンドにより結束して梱包するものが知られている（例えば、特許文献１，特許文献２参照）。
【０００３】
【特許文献１】
特開平５−１２４６８１号公報（第２頁，第２図）
【特許文献２】
特開平６−１１５５６４号公報（第２頁，第３図）
【０００４】
【発明が解決しようとする課題】
しかし、梱包枠台が木製であるので、それ自体が重く、梱包作業に際しての運搬が不便で、作業者の負担が大きくなり、作業性にも劣る難点が指摘される。また、梱包材としての梱包枠台と段ボールケースの材質（木製と紙製）が異なるため、包材コストが嵩むと共に、梱包材を廃棄処理する際の分別が煩雑になる欠点がある。
【０００５】
【発明の目的】
この発明は、前述した従来の技術に内在している前記課題に鑑み、これを好適に解決するべく提案されたものであって、梱包作業が容易で、かつ廃棄処理の簡素化を図り得る梱包構造を提供することを目的とする。
【０００６】
【課題を解決するための手段】
前記課題を克服し、所期の目的を好適に達成するため、本発明に係る梱包構造は、
矩形状の底板における４辺に形成した各フラップを上方に折曲することで上側が開放する下段ボールケースを形成し、この下段ボールケースの内部寸法より小さな外形寸法に設定されて前記底板上面に取付けられた段ボール板上に被梱包物を載置し、下側が開放する上段ボールケースで前記被梱包物を上側から覆った状態で、上下のケースを結束具により結束するよう構成したことを特徴とする。
【０００７】
【発明の実施の形態】
次に、本発明に係る梱包構造につき、好適な実施例を挙げて、添付図面を参照しながら、以下詳細に説明する。
【０００８】
図１〜図３は、実施例に係る梱包構造の全体構成を示すものであって、実施例では被梱包物として冷蔵庫１０を梱包するよう構成される。この冷蔵庫１０は、収納室を内部画成した断熱箱体１２における左右方向の一側（図１の左側）に、内部に機械室を画成したキャビネット１４が配設され、該機械室内に冷凍ユニットが収納されるよう構成される。またキャビネット１４は、前方および側方に開放しており、前方開口部にフロントパネル１６が着脱可能に配設されると共に、側方開口部にはサイドパネル１８が着脱可能に配設される。このサイドパネル１８は、側方開口部を覆い得る寸法に設定された側板部１８ａの下端縁に、キャビネット１４の下面側にセットされるフランジ１８ｂが折曲形成されており（図６参照）、該サイドパネル１８は、製品組付け工程の最終段階でキャビネット１４に取付けられる。なお、断熱箱体１２とキャビネット１４とから冷蔵庫１０の本体が構成される。
【０００９】
前記梱包構造を構成する下段ボールケース２０は、図１に示す如く、前記冷蔵庫１０の外形寸法より大きな矩形状に形成された底板２２の４辺に、前後のフラップ２２ａ，２２ｂおよび左右のフラップ２２ｃ，２２ｄが夫々連設され、各フラップ２２ａ，２２ｂ，２２ｃ，２２ｄを上方に向けて略直角に折曲することで、上方に開放する箱状に形成される。なお、底板２２の前後および左右は、冷蔵庫１０の前後および左右に対応する。
【００１０】
前記下段ボールケース２０の底板２２上面には、該ケース２０の内部寸法より小さく寸法設定された平板状の補強板として機能する段ボール板２４が、その全面に亘って強固に接着固定されており、前記冷蔵庫１０は、該段ボール板２４上に載置されるよう構成される。この段ボール板２４の左右方向の寸法は、前記冷蔵庫１０の対応する左右方向の寸法より短かく設定され、該段ボール板２４に冷蔵庫１０を載置した状態で、図６に示す如く、前記キャビネット１４の開放端側の下面と底板２２の上面との間に、該キャビネット１４の下面に前記サイドパネル１８のフランジ１８ｂをセット可能な寸法の隙間が画成されるようになっている。
【００１１】
前記底板２２に形成された左右のフラップ２２ｃ，２２ｄの前後の端縁部には、図４および図５に示す如く、底板２２から離間するにつれて他方のフラップ２２ｄ，２２ｃに近接するよう傾斜する切欠部２６，２６が夫々形成されている。そして、前後のフラップ２２ａ，２２ｂの左右の端縁部を、対応する左右のフラップ２２ｃ，２２ｄの前後の端縁部に当接する位置まで各フラップを折曲したときに、前後のフラップ２２ａ，２２ｂの底板２２に対する内側の角度が鋭角となり、前後のフラップ２２ａ，２２ｂの離間間隔は、底板２２側から上方に向かうにつれて短かくなるよう構成される。これにより、後述する上段ボールケース３４の下端部を、下段ボールケース２０（４枚のフラップ２２ａ，２２ｂ，２２ｃ，２２ｄからなる側枠部）に容易に外嵌し得るようになっている。
【００１２】
前記下段ボールケース２０の底板２２および段ボール板２４には、これらを貫通する複数の貫通孔２８が、所要の位置に形成されている。この貫通孔２８は、図１に示す如く、前記冷蔵庫１０の底面から突出する排水管３０と対応する位置に設けられ、該貫通孔２８に排水管３０を挿通するよう冷蔵庫１０を段ボール板２４上に載置することで、該冷蔵庫１０は安定した載置状態となるよう構成される。また貫通孔２８の長さ、すなわち底板２２と段ボール板２４とを合わせた厚みは、排水管３０の冷蔵庫底面からの突出寸法より長く設定さており、貫通孔２８に挿通された排水管３０がケース下面から突出しないよう構成されている。なお、複数の貫通孔２８の夫々の形成位置は、仕様の異なる各冷蔵庫における排水管の配設位置に対応するよう設定されており、複数種の冷蔵庫に対して１種の下段ボールケース２０を共通して用い得るようにしてある。
【００１３】
前記下段ボールケース２０の底面（底板２２の下面）には、図１に示す如く、左右方向に離間する複数箇所（実施例では２箇所）に、段ボールシートを複数回折畳んで相互に接着固定することで略矩形状に形成したスペーサ３２が、前後方向の略全長に亘って強固に接着固定されている（図３参照）。そして、下段ボールケース２０をスペーサ３２を介して床面等に載置した際に、ケース底面と床面との間に、運搬する際に使用されるフォークリフトの爪の出し入れを行ない得る空間を画成するよう構成される。
【００１４】
前記梱包構造を構成する上段ボールケース３４は、前記下段ボールケース２０の外径寸法と略同一の内径寸法に設定された上下に開放する角筒状の本体３６と、該本体３６の４つの上端縁に連設された前後および左右のフラップ３６ａ，３６ｂ，３６ｃ，３６ｄとから構成される。そして、該上段ボールケース３４の本体３６を前記冷蔵庫１０に被せると共に、その下端部を下段ボールケース２０に外嵌することで、その内部に冷蔵庫１０を収納し得るようになっている。また、４枚のフラップ３６ａ，３６ｂ，３６ｃ，３６ｄを内側に向けて略直角に折曲することで、上段ボールケース３４の上部開口は閉塞されるよう構成される。なお、図２において符号３８は、上段ボールケース３４における前後のフラップ３６ａ，３６ｂの対向する両端縁部を封止する接着テープを示す。
【００１５】
前記冷蔵庫１０の上部には、図１および図２に示す如く、段ボール製の緩衝材４０が、左右方向の両端部と、その略中央部とに夫々取付けられている。この緩衝材４０は、図３に示す如く、冷蔵庫１０の前後寸法と略同一に設定された平板部４０ａの前後両端縁部が、下側に向けて相互に反対向きでＬ字状に折曲され、その各Ｌ状部４０ｂに複数の段ボールシート４２が前後に重ね合わされて相互に接着固定されることで、前後の緩衝部４０ｃが形成されている。そして、平板部４０ａを冷蔵庫１０の上面に載置した状態で、前後の両緩衝部４０ｃ，４０ｃが、冷蔵庫１０の対応する前後面と上段ボールケース３４の前後の内壁面との間に挟まれて、冷蔵庫１０の前後方向の移動を規制するよう構成される。
【００１６】
前記緩衝材４０における平板部４０ａの左右何れか一方の側端縁部には、所定回数だけ折曲可能な側部緩衝部４０ｄが設けられており、冷蔵庫１０の左および右端部に取付けられた各緩衝材４０の折畳まれた側部緩衝部４０ｄが、冷蔵庫１０の左また右側面と上段ボールケース３４の左または右の内壁面との間に挟まれて、冷蔵庫１０の左右方向の移動を規制するよう構成される。なお、冷蔵庫１０の中央部には、前記側部緩衝部４０ｄを展開した状態で緩衝材４０が取付けられている。
【００１７】
そして、上下の段ボールケース３４，２０に冷蔵庫１０が収納された状態で、両ケース３４，２０は、左右方向に離間して前記スペーサ３２の配設位置を避けた複数位置（実施例では各緩衝材４０と対応する３箇所）において、結束バンド等の結束具４４を巻き締めることで結束されている。
【００１８】
【実施例の作用】
次に、実施例に係る梱包構造の作用につき説明する。前記冷蔵庫１０を梱包する場合は、前記各フラップ２２ａ，２２ｂ，２２ｃ，２２ｄが折曲されていないシート状の下段ボールケース２０の底板２２上面に接着固定されている段ボール板２４の上に、冷凍ユニットや扉等を配設していない冷蔵庫本体を載置する。そして、段ボール板２４上に冷蔵庫本体を載置した状態で、該本体に対して各種部品を組付ける。この冷蔵庫本体（キャビネット１４）に前記サイドパネル１８を取付けるときには、該パネル１８の下端縁に折曲形成されているフランジ１８ｂを前記キャビネット１４の下面側にセットする必要がある。この場合に、段ボール板２４の左右方向の寸法は、冷蔵庫１０の左右方向の寸法より短かく設定されており、図６に示す如く、サイドパネル１８が配設される部位においては、キャビネット下面と下段ボールケース２０の底板２２上面との間には、段ボール板２４の厚み分だけの隙間を生じている。従って、サイドパネル１８のフランジ１８ｂをキャビネット１４の下面に容易にセットすることができ、作業性が向上する。なお、前記冷蔵庫本体に取付けられる排水管３０は、前記貫通孔２８に挿通されて、ケース底面から突出することはない。
【００１９】
次に、前記下段ボールケース２０における各フラップ２２ａ，２２ｂ，２２ｃ，２２ｄを上側に向けて折曲して箱状とし、各コーナー部において対応するフラップ２２ａ，２２ｂ，２２ｃ，２２ｄ同士を接着テープ等で接着する。このとき、前記底板２２に接着されている前記段ボール板２４は、下段ボールケース２０の内部寸法、すなわち底板２２の外形寸法より小さく設定されているので、底板２２に対する各フラップ２２ａ，２２ｂ，２２ｃ，２２ｄの折曲げ作業は容易に行なわれる。ちなみに、底板２２の各フラップ２２ａ，２２ｂ，２２ｃ，２２ｄは、折り目を確実に付けるために深く曲げる必要があるが、仮に段ボール板２４が底板２２と略同一寸法であれば、該フラップ２２ａ，２２ｂ，２２ｃ，２２ｄの折曲げが煩雑となる。しかるに、実施例の段ボール板２４の４辺は、底板２２の対応する４辺から内側に離間しているから、下段ボールケース２０の底部を段ボール板２４で補強したもとでも、各フラップ２２ａ，２２ｂ，２２ｃ，２２ｄの折曲げ作業は容易となるものである。
【００２０】
また、前記底板２２における左右のフラップ２２ｃ，２２ｄの前後端縁部には切欠部２６が夫々形成されているから、前後のフラップ２２ａ，２２ｂの左右の端縁部を、対応する左右のフラップ２２ｃ，２２ｄの前後の端縁部に当接する位置まで各フラップを折曲したときに、前後のフラップ２２ａ，２２ｂの底板２２に対する内側の折曲角度は鋭角となり、前後のフラップ２２ａ，２２ｂの上端部の離間寸法は、底板２２の前後寸法より若干短かくなる。
【００２１】
次に、前記上段ボールケース３４を、前記冷蔵庫１０に上方から被せると共に、該上段ボールケース３４の下端部を下段ボールケース２０に外嵌する。このとき、下段ボールケース２０における前後のフラップ２２ａ，２２ｂは、上端部に向かうにつれてすぼまるようになっているから、上段ボールケース３４の下段ボールケース２０に対する外嵌は容易に行なわれる。
【００２２】
前記冷蔵庫１０の上部の３箇所に、前後の緩衝部４０ｃ，４０ｃを上段ボールケース３４における本体３６の前後内壁面と冷蔵庫前後面との間に差込んだ状態で、緩衝材４０を夫々取付ける（図３参照）。この場合に、図１に示す如く、冷蔵庫１０の左端部に取付けた緩衝材４０では、その左側に臨む側部緩衝部４０ｄを折畳んだ状態で、前記本体３６の左内壁面と冷蔵庫左側面との間に差込み、また冷蔵庫１０の右端部に取付けた緩衝材４０では、その右側に臨む側部緩衝部４０ｄを折畳んだ状態で、本体３６の右内壁面と冷蔵庫右側面との間に差込む。更に、冷蔵庫中央部に取付けられた緩衝材４０では、その側部緩衝部４０ｄを展開した状態で冷蔵庫上面に当接させる。すなわち、冷蔵庫１０の３箇所に取付けられる緩衝材４０の構成は同一であり、取付け位置によって異なる構成の緩衝材を用意する必要はなく、コストを低減し得る。
【００２３】
前記緩衝材４０を取付けた状態で、上段ボールケース３４の各フラップ３６ａ，３６ｂ，３６ｃ，３６ｄを夫々内側に折曲することで上部開口を閉塞したもとで、前後のフラップ３６ａ，３６ｂを接着テープ３８で接着する。更に、上下の段ボールケース３４，２０を、左右方向の３箇所において結束具４４で巻き締めて結束することにより、冷蔵庫１０の梱包作業が完了する。この梱包状態において、冷蔵庫１０の上部に取付けた前記各緩衝材４０が、上段ボールケース３４の本体３６やフラップ３６ａ，３６ｂ，３６ｃ，３６ｄの内面に当接し、該冷蔵庫１０は移動規制される。
【００２４】
実施例の梱包構造では、前記冷蔵庫１０が載置される下段ボールケース２０は段ボール製で軽量であるので、梱包作業に際しての運搬は容易で、作業者の負担を少なくし得ると共に作業性が良好となる。また前記下段ボールケース２０の底板２２に接着固定した段ボール板２４に冷蔵庫１０を載置するよう構成したから、フォークリフトによる運搬に際し、ケース下面に差し込まれた爪により内部の冷蔵庫底面が傷付くのを防止することができる。しかも、前記冷蔵庫１０の排水管３０は、下段ボールケース２０の底面から突出しないから、運搬に際して該排水管３０の損傷等も防止し得る。
【００２５】
更に、前記下段ボールケース２０の底面に段ボール製のスペーサ３２を設けたことにより、フォークリフトによる運搬作業性が向上すると共に、落下事故等に際してのクッション性は木製より良く、冷蔵庫１０へのダメージは大幅に改善される。なお、雨天等により地面が濡れている場所に置かれても、下段ボールケース２０自体が濡れないから、梱包強度が低下し難くなった。
【００２６】
前記冷蔵庫１０を収納する上下の段ボールケース３４，２０、スペーサ３２および緩衝材４０等の梱包材料の全てを、同一材質（段ボール）としたから、材料費を低減することができ、梱包コストを大幅に低減することができる。しかも、梱包材料の分別は必要ないから廃棄処理が容易となり、廃棄コストを低廉にし得ると共に作業時間短縮が可能となる。
【００２７】
【変更例】
前述した実施例のように、下段ボールケース２０の底面にスペーサ３２を設けた場合、前記段ボール板２４に載置された冷蔵庫１０の荷重は、主にスペーサ３２の配設位置と対応する部分に加わる。すなわち、段ボール板２４と冷蔵庫１０とは、スペーサ３２の配設位置と対応する部分が主に接触しているだけとなるため、冷蔵庫１０の梱包に際して前記冷蔵庫本体が載置されたシート状の下段ボールケース２０をコンベヤ等で移動させる場合、該コンベヤの発停の際に冷蔵庫本体が段ボール板２４に対して滑ってしまうおそれがある。そこで、図８に示す如く、前記スペーサ３２の配設位置に対応する段ボール板２４の上面に滑り止め剤４６を塗布する。これにより、段ボール板２４に対する冷蔵庫本体等の滑りを好適に防止することができる。また滑り止め剤４６は、段ボール板２４の特定部位のみに塗布することで足りるから、滑り止め剤４６の使用量は少しでよく、コストを低廉に抑えることができる。更には、冷蔵庫１０の滑り止めのための別の部材を設ける必要はないから、これによってもコストの上昇を抑制し得る。
【００２８】
実施例では、上段ボールケースの下端部を、下段ボールケースに外嵌した形態で説明したが、対象となる冷蔵庫等の被梱包物が縦長の場合では、上段ボールケースの下端部が、下段ボールケースに外嵌されることなく、両者の間から被梱包物の胴部が露出しているものであってもよい。また実施例では、被梱包物として冷蔵庫を挙げて説明したが、冷凍庫やショーケース等であってもよい。
【００２９】
【発明の効果】
以上説明した如く、本発明に係る梱包構造によれば、下段ボールケースの底板上面に、ケースの内部寸法より小さい段ボール板を取付けるよう構成したから、該底板に形成されている各フラップの折曲げ作業を容易に行ない得るもとで、該下段ボールケースの強度を向上することができる。これにより、重量のある被梱包物を梱包する際の梱包材料の材質を統一することができ、廃棄処理の作業が簡単で処理コストも低廉となる。また材質の異なる複数の材料を用いないから、梱包コストも低減することができる。
【図面の簡単な説明】
【図１】本発明の好適な実施例に係る梱包構造を示す縦断正面図である。
【図２】実施例に係る梱包構造における上段ボールケースを一部切欠いた状態で示す平面図である。
【図３】実施例に係る梱包構造における上段ボールケースを一部切欠いた状態で示す側面図である。
【図４】実施例に係る上下の段ボールケースを分解状態で示す概略斜視図である。
【図５】実施例に係る下段ボールケースを示す側面図である。
【図６】実施例に係る梱包構造における冷蔵庫のサイドパネルの取付部を示す要部縦断正面図である。
【図７】実施例に係る緩衝材を示す概略斜視図である。
【図８】変更例に係る下段ボールケースを示す概略斜視図である。
【符号の説明】
１０　冷蔵庫（被梱包物），２０　下段ボールケース，２２　底板
２２ａ　前のフラップ，２２ｂ　後のフラップ，２２ｃ　左のフラップ
２２ｄ　右のフラップ，２４　段ボール板，３４　上段ボールケース
４４　結束具
【図１】
2004106890.tif 000003
【図２】
2004106890.tif 000004
【図３】
2004106890.tif 000005
【図４】
2004106890.tif 000006
【図５】
2004106890.tif 000007
【図６】
2004106890.tif 000008
【図７】
2004106890.tif 000009
【図８】
2004106890.tif 000010